(57)【要約】【課題】底面板の厚さが異なる複数の軒樋に対応できるとともに、軒樋を流れる雨水の排水性を向上させた軒樋用ストッパーを提供する。【解決手段】弾性材料からなり、ストッパー基板１と該ストッパー基板１の左右端部に間隔をおいて設けられる側面視略Ｌ字型の左右係止片２、３と上記ストッパー基板１の長さ方向に沿う軒樋側の端部に垂設されるストッパー部４とからなる軒樋用ストッパーであって、上記ストッパー基板１と左右係止片２、３の各上片部２１、３１との隙間に軒樋６の底面板６１が挿入され、弾性挟持されるとともに、上記ストッパー基板１の軒樋底面板６１の下面との当接面には接着剤塗布溝５が設けられた軒樋用ストッパーＡ。【選択図】図１
2008025136.tif 000002
【特許請求の範囲】
【請求項１】
弾性材料からなり、ストッパー基板と該ストッパー基板の左右端部に間隔をおいて設けられる側面視略Ｌ字型の左右係止片と上記ストッパー基板の長さ方向に沿う軒樋側の端部に垂設されるストッパー部とからなる軒樋用ストッパーであって、上記ストッパー基板と左右係止片の各上片部との隙間に軒樋の底面板が挿入され、弾性挟持されるとともに、上記ストッパー基板の軒樋底面板の下面との当接面には接着剤塗布溝が設けられた軒樋用ストッパー。
【請求項２】
左係止片の上片部の裏面と右係止片の上片部の裏面とにはそれぞれ鋸歯状の掛止爪が突設されるとともに、ストッパー基板の軒樋底面板の下面との当接面にも鋸歯状の掛止爪が突設された請求項１に記載の軒樋用ストッパー。
【請求項３】
上記左右係止片の各上片部の先端部にそれぞれ上方に反った左軒樋挿入部と右軒樋挿入部とを形成する請求項１に記載の軒樋用ストッパー。
【発明の詳細な説明】
【技術分野】
【０００１】
本発明は、軒樋の脱落防止用ストッパーに関する。さらに詳しくは、集水器の軒樋差込口に挿入、接続された軒樋の脱落を防止するとともに、雨水の漏洩を防ぎ、雨水の排水性を向上させた軒樋用ストッパーに関する。
【背景技術】
【０００２】
屋根から軒樋に流れ落ちた雨水は、じょうごやチーズ等の集水器に集められ竪樋に排水される。通常、上記集水器は側壁に軒樋用の差込口を有し、この差込口に軒樋の端部を挿入、接続して雨水が集水される。しかしながら、単に軒樋の端部を挿入するだけでは抜けたり、軒樋接続部からの漏水が生じるため、軒樋の端部に軒樋用ストッパーを装着して軒樋の脱落を防止するとともに、雨水の漏洩を防止することが一般的に行われている。
【０００３】
下記特許文献１には、軒樋を集水器の側壁に設けられた軒樋差込口から、集水器の中に規定どおりに挿入することができ、施工が簡単な軒樋用ストッパーが開示されている。すなわち、下記特許文献１の図３に記載のように、２個のクリップ本体がクリップ基板とクリップ片で形成される開口を外側にして棒状の連結部で連結され、この連結部のほぼ中央に細い易折部を設けた技術が示されている。そして、軒樋が夏冬等の温度差によって膨張収縮を繰り返すことによって、上記易折部が折れて両側のクリップ本体が別々に移動するようになっても、軒樋が規定どおりに取り付けられているため上記軒樋差込口から軒樋が外れることがない旨の効果が記載されている。
【特許文献１】特開平１０−１７６３９６号公報（第１〜３頁、第１〜３図）
【発明の開示】
【発明が解決しようとする課題】
【０００４】
しかしながら、上記公知技術における軒樋用ストッパーは、軒樋の底面板が所定の厚さのものには対応できるが、該厚さの異なる軒樋に対しては、それぞれの底面板に合わせて軒樋用ストッパーを準備しなければならないという問題がある。本発明はこのような問題を解決して、底面板の厚さが異なる複数の軒樋に対応できるとともに、軒樋を流れる雨水の排水性が向上した軒樋用ストッパーを提供することを、その課題とする。
【課題を解決するための手段】
【０００５】
上記課題を解決するために、本発明においては、つぎのような技術的手段を講じている。すなわち、請求項１に記載の発明によれば弾性材料からなり、ストッパー基板と該ストッパー基板の左右端部に間隔をおいて設けられる側面視略Ｌ字型の左右係止片と上記ストッパー基板の長さ方向に沿う軒樋側の端部に垂設されるストッパー部とからなる軒樋用ストッパーであって、上記ストッパー基板と左右係止片の各上片部との隙間に軒樋の底面板が挿入され、弾性挟持されるとともに、上記ストッパー基板の軒樋底面板の下面との当接面には接着剤塗布溝が設けられた軒樋用ストッパーが提供される。
【０００６】
上記弾性材料としては、とくに限定されるものではないが、例えば、硬質塩化ビニル樹脂、ポリエチレン、ポリプロピレン、ＡＢＳ樹脂、ポリカーボネート樹脂等の弾性を有する硬質合成樹脂が好ましく用いられる。
【０００７】
請求項２に記載の軒樋用ストッパーは、請求項１に記載の発明に加えて、左係止片の上片部の裏面と右係止片の上片部の裏面とにはそれぞれ鋸歯状の掛止爪が突設されるとともに、ストッパー基板の軒樋底面板の下面との当接面にも鋸歯状の掛止爪が突設される。
【０００８】
請求項３に記載の軒樋用ストッパーは、請求項１に記載の発明に加えて、上記左右係止片の各上片部の先端部にそれぞれ上方に反った左軒樋挿入部と右軒樋挿入部とが形成される。
【発明の効果】
【０００９】
請求項１に記載の発明にかかる軒樋用ストッパーは上記のとおりであり、ストッパー基板の左右端部に間隔をおいて設けられる左右係止片の間は障害物がないため雨水がスムースに流れ、排水性を向上させることができる。また、弾性材料からなるため、ストッパー基板と側面視略Ｌ字型の左右係止片の各上片部との隙間が、底面板の厚さが異なる軒樋に対応して弾性的に拡縮し、しっかりと軒樋の底面板端部を弾性挟持することができる。
【００１０】
さらに、上記挟持面に塗布された接着剤の一部は軒樋挿入時に軒樋の底面板の端部によって欠き削られるが少なくとも該接着剤塗布溝に残った接着剤は当該端部が弾性挟持されている間に硬化して十分な接着強度を得ることができる。
【００１１】
上記のように構成され、軒樋の底面板の端部に装着された軒樋用ストッパーは、ストッパー基板の長さ方向に沿う軒樋側の端部に垂設されるストッパー部が集水器の軒樋差込口を構成する下部側壁にしっかりと係止し、軒樋の脱落を防ぐことができる。
【００１２】
請求項２に記載の軒樋用ストッパーは上記のとおりであり、請求項１の軒樋用ストッパーの有する効果に加え、左係止片の上片部の裏面と右係止片の上片部の裏面とにはそれぞれ鋸歯状の掛止爪が突設されるとともに、ストッパー基板の軒樋底面板の下面との当接面にも鋸歯状の掛止爪が突設されているため、該掛止爪が軒樋の底面板の上面と下面とに食い込み、軒樋の端部に軒樋用ストッパーがしっかりと装着され、軒樋の脱落を防止することができる。
【００１３】
請求項３に記載の軒樋用ストッパーは上記のとおりであり、請求項１の軒樋用ストッパーの有する効果に加え、上記左右係止片の各上片部の先端部にそれぞれ上方に反った左軒樋挿入部と右軒樋挿入部とを形成するため、底面板の端部、とくに厚手の底面板の端部を容易に挿入することができる。
【発明を実施するための最良の形態】
【００１４】
以下、本発明の実施形態について図面を参照して詳細に説明する。図１は本発明の第１実施形態にかかる軒樋用ストッパーＡを示す斜視図である。図１に示すように、上記軒樋用ストッパーＡは、ストッパー基板１とストッパー基板１の左右端部に設けられた側面視略Ｌ字型の左係止片２と右係止片３と上記ストッパー基板１の長さ方向に沿う軒樋側の端部に垂設されるストッパー部４とからなり、上記ストッパー基板１の上面には接着剤塗布溝５が設けられている。上記左係止片２の上片部２１と右係止片３の上片部３１の先端部にそれぞれ、軒樋を挿入し易いように上方に反った左軒樋挿入部２２と右軒樋挿入部３２とを形成する。
【００１５】
図２は、上記軒樋用ストッパーＡのストッパー基板１と左係止片２の上片部２１および右係止片３の上片部３１との隙間に軒樋６の底面板６１の端部を挿入した状態を示す部分斜視図である。既述のように、軒樋用ストッパーＡは、弾性を有する材料から構成されているため、軒樋６の底面板６１の端部は、上記隙間に弾性的にしっかりと挟持される。通常は軒樋６の底面板６１の端部がストッパー基板１の内部奥端面に当接するまで該底面板６１を挿入するが当該挿入程度は現場で臨機応変に決定される。
【００１６】
図３は、軒樋用ストッパーＡを装着した軒樋６を集水器８の軒樋差込口８１に差し込んだ状態を示す縦断面図である。ストッパー基板１の接着剤塗布溝５を含む当該挟持面には予め接着剤７が塗布されており、軒樋６の挿入時に当該接着剤７の一部は底面板６１の端部によって欠き削られるが少なくとも該接着剤塗布溝５に滞留した接着剤７は底面板６１の端部が弾性挟持され仮止めされている間に硬化して十分な接着強度を得ることができる。
【００１７】
このように構成することにより、接着面を確保することが可能となり、軒樋用ストッパーＡは軒樋６の底面板６１の端部にしっかりと装着され、軒樋６が収縮した場合あるいは振動した場合に上記ストッパー部４が集水器８の軒樋差込口８１を構成する下部側壁に係止して軒樋６が脱落することを防ぐ。
【００１８】
図４は、本発明の第２実施形態にかかる軒樋用ストッパーＢを示す部分断面説明図である。図４に示されているように、本実施形態においては、左係止片２の上片部２１の裏面には鋸歯状の掛止爪２３が、また、図外右係止片３の上片部３１の裏面には鋸歯状の掛止爪（図示せず）が突設されるとともに、ストッパー基板１の底面板６１の下面とのそれぞれの当接面にも鋸歯状の掛止爪１１が突設されている。
【００１９】
このように構成することにより、軒樋６の底面板６１の板厚が異なる各種の軒樋６に対してもその軒樋６の底面板６１の端部が左係止片２及び右係止片３にしっかりと挟持されるとともに、接着剤７が接着強度を発揮するまで該底面板６１の端部は弾性係止状態に維持される。かくして、本実施形態にかかる軒樋用ストッパーＢは軒樋６の底面板６１にしっかりと装着され、第１実施形態における場合と同様に、集水器８の軒樋差込口８１に差し込んだとき、上記ストッパー部４が軒樋差込口８１を構成する下部側壁に係止して軒樋６が脱落することを防ぐ。
【図面の簡単な説明】
【００２０】
【図１】本発明の第１実施形態にかかる軒樋用ストッパーを示す斜視図である。
【図２】上記軒樋用ストッパーに軒樋の底面板を挿入した状態を示す部分斜視図である。
【図３】上記軒樋用ストッパーを装着した軒樋を集水器の軒樋差込口に差し込んだ状態を示す縦断面図である。
【図４】本発明の第２実施形態にかかる軒樋用ストッパーを示す部分断面説明図である。
【符号の説明】
【００２１】
Ａ          第１実施形態にかかる軒樋用ストッパー
Ｂ          第２実施形態にかかる軒樋用ストッパー
１          ストッパー基板
１１        掛止爪
２          左係止片
２１        上片部
２２        左軒樋挿入部
２３        掛止爪
３          右係止片
３１        上片部
３２        右軒樋挿入部
４          ストッパー部
５          接着剤塗布溝
６          軒樋
６１        底面板
７          接着剤
８          集水器
８１        軒樋差込口
【図１】
2008025136.tif 000003
【図２】
2008025136.tif 000004
【図３】
2008025136.tif 000005
【図４】
2008025136.tif 000006